(57)【要約】【課題】「延焼のおそれのある部分」に対応する耐火認定障子を組み込んだカーテンウォール構造と、「それ以外の部分」に対応するカーテンウォール構造とで外観を同じにする。【解決手段】延焼のおそれのある部分以外の窓部では、前記方立２，２と無目８，８とによって形成された各開口枠において、周方向に沿って形成された溝部にガラスＧを嵌合支持する構造とし、延焼のおそれのある部分の窓部では、框４〜７によって枠組みされ、ガラスＧ２を嵌合させた耐火認定障子３を前記方立２，２と無目９，１０とによって形成された各開口枠の溝部に嵌め込んで支持するとともに、前記耐火認定障子３の縦框６，７は、その見付け幅を前記方立２の見付けフランジ部２Ｃからはみ出さない幅に設定する。【選択図】図２
2010095973.tif 000002
【特許請求の範囲】
【請求項１】
躯体に取り付けた方立と、これら方立間に取り付けた無目とで形成された各開口枠にパネル又はパネルユニットを取り付ける手順によって壁面を構築するノックダウン式のカーテンウォールにおいて、
前記方立は、室外側に外部に露出する見付けフランジ部を有し、この見付けフランジ部によって前記パネル又はパネルユニットを嵌め込むための溝部の室側壁が形成され、
延焼のおそれのある部分以外の窓部では、前記方立と無目とによって形成された各開口枠において、周方向に沿って形成された溝部にパネルを嵌合支持する構造とし、
延焼のおそれのある部分の窓部では、框によって枠組みされ、ガラスを嵌合させた耐火認定障子を前記方立と無目とによって形成された各開口枠の溝部に嵌め込んで支持するとともに、前記耐火認定障子の縦框は、その見付け幅を前記方立の見付けフランジ部からはみ出さない幅に設定したことを特徴とするカーテンウォール。
【請求項２】
前記耐火認定障子の上框及び下框の見付け幅は、上下に隣接する無目の見付け幅と同じに設定してある請求項１記載のカーテンウォール。
【請求項３】
前記耐火認定障子は、縦框の背面側において、方立に固定された障子固定用ブラケットによって支持されている請求項１，２いずれかに記載のカーテンウォール。
【請求項４】
前記耐火認定障子は、縦框の正面側に室外側に突出する外側フィンを有し、この外側フィンの先端が前記方立の見付けフランジ部の内面に当接している請求項１〜３いずれかに記載のカーテンウォール。
【請求項５】
前記耐火認定障子は、縦框の背面側に室内側に突出する内側フィンを有し、この内側フィンが前記障子固定用ブラケットと係合関係にある請求項３記載のカーテンウォール。
【発明の詳細な説明】
【技術分野】
【０００１】
本発明は、外壁の一部（延焼のおそれのある部分）に耐火認定障子を嵌め込んだ耐火仕様のカーテンウォールに関する。
【背景技術】
【０００２】
平成１９年６月施行の改正建築基準法に伴い、「カーテンウォールの構造方法について（技術的助言）国住指第６１９号」が管轄官庁等に通知された。これによると、建築物におけるカーテンウォールについては、外壁及び開口部の規定が適用されることが明確化された。具体的には、「スパンドレル（外壁のうち上下に重なっている二つの窓その他の開口部の間の部分）、柱形（外壁のうち柱状の部分）その他これらに類する部分」については外壁に対する技術的基準を適用し、「それ以外の部分」については開口部に対する技術的基準を適用することが明確化された。
【０００３】
前記「それ以外の部分」の内、開口部として取り扱われる部分で延焼のおそれのある部分にあっては、建築基準法第２条第９号の２ロに規定する防火設備を用いることが明確化された。ここで、前記「延焼のおそれのある部分」とは、建築基準法第２条６号に、隣地境界線、道路中心線又は同一敷地内の２以上の建築物相互の外壁間の中心から、一階にあっては３ｍ以下、二階以上にあっては５ｍ以下の距離にある建築物の部分をいうと規定されている。
【０００４】
前記「建築基準法第２条第９号の２ロに規定する防火設備」とは、その外壁の開口部で延焼のおそれのある部分に、防火戸その他の政令で定める防火設備（その構造が遮炎性能[通常の火災時における火災を有効に遮るために防火設備に必要とされる性能をいう。]に関して政令で定める技術的基準に適合するもので、国土交通大臣が認めた構造方法を用いるもの又は国土交通大臣の認定を受けたものに限る。）を有することが規定されている。ここで、要求される性能とは、火災による加熱が加えられた場合に、加熱開始後２０分間当該加熱面以外の面に火災を出さないものであることである。
【０００５】
前記「カーテンウォールの構造方法について（技術的助言）国住指第６１９号」においては、上記防火設備を組み込んだカーテンウォール構造の例が示されている（図１２参照）。このカーテンウォール構造では、方立５０，５０及び無目５１，５１による開孔枠に対して、上記性能を満足する防火設備５２（以下、耐火認定障子という。）を嵌め込んだ構造が示されている。
【０００６】
前述のように、方立及び無目に構成された開口枠に窓サッシを嵌め込んだ構造のカーテンウォールとしては、例えば下記特許文献１を挙げることができる。このカーテンウォールは、躯体に方立を取り付けたならば、これら方立間に無目を取り付けて開口枠を形成した後、カーテンウォールパネルを取り付ける手順によって壁面を構築するノックダウン式カーテンウォールにおいて、前記方立と無目とによって形成された窓部開口枠に対して、一般サッシを窓枠ごと嵌め込み、前記方立及び無目に対して固定可能としたものである。
【特許文献１】特開２００３−２９３５０１号公報
【発明の開示】
【発明が解決しようとする課題】
【０００７】
しかしながら、図１２に示される耐火認定障子５２を組み込んだカーテンウォール構造及び前記特許文献１に係るカーテンウォール構造の場合、方立の見付けフランジ部（外部に露出する室外側フランジ）の側縁を越えて障子又はサッシ窓の框が露出している。一方で、「延焼のおそれのある部分」とは建築部の一部分に該当するため、それ以外の部分では、従来の一般的なガラス支持構造、すなわち方立の見付けフランジ部と、背面側の中空矩形部分とによって形成されたガラス嵌合溝に対してガラスを嵌合し、シール材等で固定する構造が採用されるため、「延焼のおそれのある部分」と「それ以外の部分」とでカーテンウォールの外観が異なり意匠性を損なうという問題が発生することになる。
【０００８】
そこで本発明の主たる課題は、「延焼のおそれのある部分」に対応する耐火認定障子を組み込んだカーテンウォール構造と、「それ以外の部分」に対応するカーテンウォール構造とで外観を同じとし、意匠性を良好とすることにある。
【課題を解決するための手段】
【０００９】
前記課題を解決するために請求項１に係る本発明として、躯体に取り付けた方立と、これら方立間に取り付けた無目とで形成された各開口枠にパネル又はパネルユニットを取り付ける手順によって壁面を構築するノックダウン式のカーテンウォールにおいて、
前記方立は、室外側に外部に露出する見付けフランジ部を有し、この見付けフランジ部によって前記パネル又はパネルユニットを嵌め込むための溝部の室側壁が形成され、
延焼のおそれのある部分以外の窓部では、前記方立と無目とによって形成された各開口枠において、周方向に沿って形成された溝部にパネルを嵌合支持する構造とし、
延焼のおそれのある部分の窓部では、框によって枠組みされ、ガラスを嵌合させた耐火認定障子を前記方立と無目とによって形成された各開口枠の溝部に嵌め込んで支持するとともに、前記耐火認定障子の縦框は、その見付け幅を前記方立の見付けフランジ部からはみ出さない幅に設定したことを特徴とするカーテンウォールが提供される。
【００１０】
上記請求項１記載の発明においては、延焼のおそれのある部分の窓部では、框によって枠組みされ、ガラスを嵌合させた耐火認定障子を前記方立と無目とによって形成された各開口枠の溝部に嵌め込んで支持するとともに、前記耐火認定障子の縦框は、その見付け幅を前記方立の見付けフランジ部からはみ出さない幅に設定してある。従って、延焼のおそれのある部分以外の窓部と、延焼のおそれのある部分の窓部との外観を統一することができ、意匠性が向上する。
【００１１】
請求項２に係る本発明として、前記耐火認定障子の上框及び下框の見付け幅は、上下に隣接する無目の見付け幅と同じに設定してある請求項１記載のカーテンウォールが提供される。
【００１２】
上記請求項２記載の発明では、前記耐火認定障子の上框及び下框の見付け幅は、上下に隣接する無目の見付け幅と同じに設定してあるため、無目の外観についても、外観を統一することができ、意匠性が向上する。
【００１３】
請求項３に係る本発明として、前記耐火認定障子は、縦框の背面側において、方立に固定された障子固定用ブラケットによって支持されている請求項１，２いずれかに記載のカーテンウォールが提供される。
【００１４】
上記請求項３記載の発明では、耐火認定障子は、縦框の背面側において、方立に固定された障子固定用ブラケットによって支持されている構造としたため、耐火認定障子の支持が容易となる。
【００１５】
請求項４に係る本発明として、前記耐火認定障子は、縦框の正面側に室外側に突出する外側フィンを有し、この外側フィンの先端が前記方立の見付けフランジ部の内面に当接している請求項１〜３いずれかに記載のカーテンウォールが提供される。
【００１６】
上記請求項４記載の発明では、耐火認定障子の縦框の正面側に室外側に突出する外側フィンを有し、この外側フィンの先端が前記方立の見付けフランジ部の内面に当接させているため、前記外側フィンがシール受けとなり、シール施工が容易となる。また、バックアップ材を省略することも可能となる。
【００１７】
請求項５に係る本発明として、前記耐火認定障子は、縦框の背面側に室内側に突出する内側フィンを有し、この内側フィンが前記障子固定用ブラケットと係合関係にある請求項３記載のカーテンウォールが提供される。
【００１８】
上記請求項５記載の発明では、耐火認定障子の縦框の背面側に室内側に突出する内側フィンを有し、この内側フィンが前記障子固定用ブラケットと係合するようにしてある。従って、障子固定用ブラケットとの係合によって耐火認定障子を支持させているため、施工が容易となる。
【発明の効果】
【００１９】
以上詳説のとおり本発明によれば、「延焼のおそれのある部分」に対応する耐火認定障子を組み込んだカーテンウォール構造と、「それ以外の部分」に対応するカーテンウォール構造とで外観が同じとなるため、意匠性を良好とすることが可能となる。
【発明を実施するための最良の形態】
【００２０】
以下、本発明の実施の形態について図面を参照しながら詳述する。
【００２１】
本発明に係るカーテンウォールの正面図、図２は図１のII−II線矢視図、図３は図１のIII−III線矢視図である。
【００２２】
本カーテンウォール１は、建物躯体（床）の端部に固定された方立支持金具によって、水平方向に所定の間隔をおいて上下方向に沿って方立２，２…を固定した後、この方立２，２間に上下方向に所定間隔で無目８，９，１０……を架け渡して開口枠を形成し、「延焼のおそれのある部分以外の窓部」では、前記方立２，２と無目８，８とによって形成された各開口枠において、周方向に沿って形成された溝部にガラスＧを嵌合支持する構造とし、「延焼のおそれのある部分の窓部」では、框４〜７によって枠組みされ、ガラスＧ２を嵌合させた耐火認定障子３を前記方立２，２と無目９，１０とによって形成された各開口枠の溝部に嵌め込んで支持するとともに、前記耐火認定障子３の縦框６，７は、その見付け幅Ｋを前記方立２の見付けフランジ部２Ｃからはみ出さない幅に設定したものである。
【００２３】
以下、さらに具体的に詳述する。
〔方立及び無目構造〕
前記方立２は、詳細には図２に示されるように、相対的に室内側に位置する中空部方形断面の方立本体２Ａと、この方立本体２Ａの室外面中央位置から室外側に延在する縦枠部２Ｂと、この縦枠部２Ｂの先端部に逆Ｔ字状に形成された見付けフランジ部２Ｃとからなる形材である。
【００２４】
前記方立本体２Ａの室外がわ側面部分に凹部２ａが形成されるとともに、図示の例では前記縦枠部２Ｂの中間に断面Ｌ字状の係止部２ｂが形成されている。
【００２５】
一方、前記耐火認定障子３が嵌め込まされる部分の無目９，１０は、夫々開口枠の上枠と下枠とを構成する。具体的には、上側スパンドレル部との境界に設置される無目９と、下側スパンドレル部との境界に設置される無目１０である。前記無目９，１０は、方立２の縦枠部２Ｂに固定された無目ブラケット１４によって方立２、２間に支持されるようになっている。
【００２６】
前記無目９は、詳細には図４に示されるように、中空の無目本体９Ａの室外側面の下部より外方に延在する水平フランジ部９ａと、この水平フランジ部９ａの先端からＬ字状の屈曲部分９ｂとによってガラス下縁側嵌合溝ＭＤが形成されるとともに、前記水平フランジ部９ａの下面には開口側に突出する垂下片９ｃが形成され、耐火認定障子３の上框４を固定するためのビス止め固定部１３を構成するようになっている。また、室内側には耐火認定障子３の上框４の室内面側に当接するサッシ枠当接受け部９Ｂを有する。前記サッシ枠当接受け部９Ｂには、室外側に突出する複数の突出片９ｄ〜９ｆが形成され、これらの突出片の内、突出片９ｅ、９ｆの凹溝部分には、図示例のように、必要に応じて定形シール材等の気水密材２３が嵌設され、耐火認定障子３の上框４との間に高い気水密性を確保できるようにしている。
【００２７】
前記無目１０は、詳細には図５に示されるように、中空の無目本体１０Ａの室外側面上部より外方に延在する水平フランジ部１０ａが形成されるとともに、この水平フランジ部１０ａの室外側に横押縁１１が取り付けられ、ガラス上縁側嵌合溝ＭＵが形成されている。前記水平フランジ部１０ａの上面には開口側に起立する起立片１０ｂが形成され、耐火認定障子３の下框５を固定するためのビス止め固定部１５を構成するようになっている。また、室内側には、耐火認定障子３の下框５の室内面側に当接するサッシ枠当接受け部１４を構成するようになっている。前記サッシ枠当接受け部１０Ｂには、室外側に突出する複数の突出片１０ｃ〜１０ｅが形成され、これらの突出片の内、突出片１０ｄ、１０ｅの凹溝部分には、図示例のように、必要に応じて定形シール材等の気水密材２３が嵌設され、耐火認定障子３の下框５との間に高い気水密性を確保できるようにしている。
【００２８】
他方、「延焼のおそれのある部分以外の窓部」の無目８，８の構造を図９に示す。前記無目８，８も、方立２の縦枠部２Ｂに固定された無目ブラケット１４によって方立２、２間に支持されるようになっている。
【００２９】
無目８は、中空状の無目本体８Ａと、この無目本体８Ａの室外側面から室外側に延在するとともに、先端部で上側に屈曲する室外側延在部８Ｂとからなり、前記室外側延在部８Ｂによりガラス下縁側嵌合溝ＭＤが形成されている。また、前記室外側延在部８Ｂの下面側に横押縁２１が取り付けられ、ガラス上縁側嵌合溝ＭＵが形成されるようになっている。
【００３０】
〔耐火認定障子３の構造〕
耐火認定障子３は、上框４、下框５及び縦框６，７によって四方を枠組みされた枠内にガラスＧ２を嵌合支持させたものであり、火災による加熱が加えられた場合に、加熱開始後２０分間当該加熱面以外の面に火災を出さないものである遮炎性能を有することの認定を受けた防火戸（防火設備）である。
【００３１】
前記上框４は、図４に示されるように、中空方形断面の上框本体４Ａと、この上框本体４Ａの室外面上部から室外側に突出する水平突出片４ａと、この水平突出片４ａの先端から上側に屈曲して延在するとともに、本耐火認定障子３を無目９に固定するためのビス固定用起立片４ｂとから構成されている。また、前記水平突出片４ａの先端部に、断面略Ｌ字状の横押縁１２がビスによって連結されることによって、ガラス嵌合溝Ｍが形成されるようになっている。
【００３２】
前記下框５は、図５に示されるように、中空方形断面の下框本体５Ａと、この下框本体５Ａの室外面下部から室外側に突出する水平突出片５ａと、この水平突出片５ａの先端から上側に屈曲して延在する起立片５ｂと、前記水平突出片５ａの下面より垂下する耐火認定障子３を無目１０に固定するためのビス固定用垂下片５ｃとから構成されている。前記水平突出片５ａと起立片５ｂとによってガラス嵌合溝Ｍが形成されるようになっている。
【００３３】
前記縦框６，７は、図６に示されるように、相対的に室外側に位置するとともに、内方側に溝部を臨ませたガラス嵌合溝Ｍを形成している断面コ字状部６Ａ（７Ａ）と、相対的に室内側に位置するとともに、外方側に溝部を臨ませた断面逆コ字状部６Ｂ（７Ｂ）とから構成されている。前記断面コ字状部６Ａ（７Ａ）と断面逆コ字状部６Ｂ（７Ｂ）とは同じ見付け幅となっている。また、前記断面コ字状部６Ａ（７Ａ）の正面には室外側に突出する外側フィン６ａ（７ａ）が設けられており、前記断面逆コ字状部６Ｂ（７Ｂ）の背面側には、室内側に突出する内側フィン６ｂ（７ｂ）が設けられている。取付け状態で、前記耐火認定障子３の縦框６，７は、その見付け幅Ｋを前記方立２の見付けフランジ部２Ｃからはみ出さない幅に設定してある。
【００３４】
前記上框４，下框５及び縦框６，７は、ビス１６，１６…によって四方枠組みされ、周方向に沿って形成された前記ガラス嵌合溝ＭにガラスＧ２が嵌合支持される。前記ガラスＧ２は、耐火仕様とするために網入りガラスか耐熱ガラスが使用されている。
【００３５】
〔延焼のおそれのある部分の窓部〕
延焼のおそれのある窓部では、図７及び図８に示されるように、前記方立２，２及び無目９，１０によって形成された開口枠の溝部に対して耐火認定障子３を嵌め込んで固定する。嵌込みは、框枠４〜７にガラスＧ２を嵌合支持した状態のままで行うようにしてもよいが、本形態例では、框枠４〜７を嵌め込んだ後、ガラスＧ２を嵌合支持させるようにしている。
【００３６】
具体的には、図７に示されるように、前記無目９の垂下片９ｂ、前記無目１０の起立片１０ｂに対して、夫々耐火認定障子３の上框４に形成されたビス固定用起立片４ｂ、下框５に形成されたビス固定用垂下片５ｃが背面側に重なるとともに、図８に示されるように、方立２の方立本体２Ａと見付けフランジ部２Ｃとによって形成される溝部分に対して、縦枠６，７を嵌合させるようにしながら框枠４〜７を開口枠内に設置する。
【００３７】
そして、上框４側では、図７に示されるように、前記横押縁１２を前記垂下片９ｂの室外側面に接合した状態で、室外側からビスを前記横押縁１２、垂下片９ｂ及びビス固定用起立片４ｂを貫くように貫入させることによって固定を図る。
【００３８】
また、下框５側では、横押縁１１を前記起立片１０ｂの室外側面に接合した状態で、室外側からビスを前記横押縁１１、起立片１０ｂ及びビス固定用垂下片５ｃを貫くように貫入させることによって固定を図る。
【００３９】
一方、縦框６，７側では、図８に示されるように、方立２に一端が固定された障子固定用ブラケット１９、１９によって支持される。すなわち、図６に示されるように、障子固定用ブラケット１９は、室外側部分に室外側への突出片１９ａと、ガラス面方向への突出片１９ｂとによりＬ字状の隅角部が形成され、この隅角部に縦框６，７の内側フィン６ｂ（７ｂ）を係合させるようにする。また、縦框６，７の外側フィン６ａ（７ａ）は、方立２の見付けフランジ部２Ｃの内面に当接するようになっている。前記外側フィン６ａ（７ａ）によって形成された溝部分には、バックアップ材及びシール材が充填される。前記バックアップ材は外側フィン６ａ（７ａ）が代用しているため省略することが可能である。
【００４０】
框枠４〜７を前記開口枠へ取付けたならば、ガラスＧ２を框枠４〜７内部に嵌込み、バックアップ材１７及びシール材１８により支持させる。
【００４１】
前記耐火認定障子３の縦框６，７は、その見付け幅Ｋを前記方立２の見付けフランジ部２Ｃからはみ出さない幅に設定してあるため、耐火認定障子３の取付け状態では、図６に示されるように、見付けフランジ部２Ｃの側縁位置Ｑは、前記縦框６，７の側縁位置Ｐと同位置か、前記側縁位置Ｐよりも張り出しているため、室外側から見た場合、前記縦枠６，７は見付けフランジ部２Ｃ（見付け幅：Ｂ）によって隠蔽されている。
【００４２】
また、無目９，１０部分では、無目９の見付け幅Ｈ１と、耐火認定障子３の上框４の見付け幅Ｈ２と、無目１０の見付け幅Ｈ３と、耐火認定障子３の下框５の見付け幅Ｈ４とがすべて同じに設定されている。
【００４３】
〔延焼のおそれのある部分以外の窓部〕
延焼のおそれのある部分以外の窓部では、図２及び図６に示されるように、方立２の凹部２ａ、掛止部２ｂ間に跨って縦押縁２０が取り付けられ、この縦押縁２０と前記見付けフランジ２Ｃとによりガラス側縁嵌合溝ＭＶが形成され、ガラスＧがガラス面を跨いでガラス側縁嵌合溝ＭＶの室外側および室内側に夫々施工されたバックアップ材１７及びシール１８によって支持されている。なお、前記縦押縁２０の係止部は前記縦枠部２Ｂ以外に断面形状に応じて適宜決定される。
【００４４】
一方、無目８については、図９に示されるように、ガラス嵌合溝ＭＤ、ＭＵに、ガラスＧがガラス面を跨いでガラス側縁の室外側および室内側に夫々施工されたバックアップ材１７及びシール１８によって支持されている。また、無目８の室外側面では、中間のシールよりも上側部分の見付け幅Ｈ１と、下側の見付け幅Ｈ２とが同じ寸法に設定されているとともに、これらの寸法は、前述した「延焼のおそれのある部分の窓部」の無目９，１０の見付け幅（Ｈ１〜Ｈ４）と同じ寸法に設定されており、「延焼のおそれのある部分の窓部」と「延焼のおそれのある部分以外の窓部」との無目デザインも統一されている。
【００４５】
〔他の形態例〕
(1)前述した耐火認定障子は、一般の窓サッシとしても使用されるものである。コンクリート躯体の開口部に設置される場合は、図１０に示されるように、各框４〜７に外面側にピース状のアンカー２２〜２５をビスによって取り付ける。各アンカー２２〜２５には、アンカーブラケット２２ａ〜２５ａが設けられており、これに躯体に埋め込んだアンカー鉄筋が溶接によって固定される。
(2)上記形態例では、耐火認定障子３のガラスＧ２及びスパンドレル部のガラスＧとして、単層ガラスを嵌め込んだが、図１１に示されるように、複層ガラスを嵌め込むようにしてもよい。
【図面の簡単な説明】
【００４６】
【図１】本発明に係るカーテンウォールの正面図である。
【図２】図１のII−II線矢視図である。
【図３】図１のIII−III線矢視図である。
【図４】図３の要部拡大図（上側無目部分）である。
【図５】図３の要部拡大図（下側無目部分）である。
【図６】図２の要部拡大図（方立部分）である。
【図７】耐火認定障子３の嵌込み要領を示す縦断面図である。
【図８】耐火認定障子３の嵌込み要領を示す横断面図である。
【図９】図１のIX−IX線矢視図である。
【図１０】耐火認定障子３を一般サッシとしての使用を示す、(A)は縦断面図、(B)は横断面図である。
【図１１】複層ガラスとした場合の横断面図である。
【図１２】カーテンウォールの構造方法について（技術的助言）国住指第６１９号におけるカーテンウォール構造例を示す横断面図である。
【符号の説明】
【００４７】
１…カーテンウォール、２…方立、３…耐火認定障子、４…上框、５…下框、６・７…縦框、８〜１０…無目、１１・１２…横押縁、１９…障子固定用ブラケット、２０…縦押縁、２１…横押縁、２２〜２５…アンカー
【図１】
2010095973.tif 000003
【図２】
2010095973.tif 000004
【図３】
2010095973.tif 000005
【図４】
2010095973.tif 000006
【図５】
2010095973.tif 000007
【図６】
2010095973.tif 000008
【図７】
2010095973.tif 000009
【図８】
2010095973.tif 000010
【図９】
2010095973.tif 000011
【図１０】
2010095973.tif 000012
【図１１】
2010095973.tif 000013
【図１２】
2010095973.tif 000014